(57)【要約】【課題】  カートンの到着に応じてオンデマンドでフラップの折り込み及びフラップの粘着テープによる接合の動作を行うことができる、省エネ性に優れたカートンシーラーを提供する。【解決手段】  搬送手段により搬出されてきたカートンのフラップを折り込み、フラップ同士を粘着テープで接合するカートンシーラーであって、カートンがカートンシーラーに到着したときにカートンの自重により電源がオンになるリミットスイッチを設け、リミットスイッチの電源がオフの間はカートンシーラーが稼動しないが、リミットスイッチの電源がオンになると到着したカートンのフラップの折り込み及びフラップの粘着テープによる接合の動作を行うことを特徴とする。【選択図】図１
0003166200.tif 000002
【実用新案登録請求の範囲】
【請求項１】
搬送手段により搬出されてきたカートンのフラップを折り込み、フラップ同士を粘着テープで接合するカートンシーラーであって、カートンがカートンシーラーに到着したときにカートンの自重により電源がオンになるリミットスイッチを設け、リミットスイッチの電源がオフの間はカートンシーラーが稼動しないが、リミットスイッチの電源がオンになると到着したカートンのフラップの折り込み及びフラップの粘着テープによる接合の動作を行うことを特徴とするカートンシーラー。
【請求項２】
リミットスイッチがカートンの走行経路の到着端付近の床面に設けられていることを特徴とする請求項１に記載のカートンシーラー。
【請求項３】
カートンのフラップの折り込み及びフラップの粘着テープによる接合の動作を終了し、カートンを搬出した後に次のカートンが到着していないときにはリミットスイッチの電源がオフになり、カートンシーラーの稼動が停止することを特徴とする請求項１又は２に記載のカートンシーラー。
【請求項４】
リミットスイッチの電源がオンになったときにのみカートンシーラーの稼動を行う省エネ運転モードと、カートンシーラーの稼動を連続的に行う連続運転モードとを有し、それらの運転モードの切り換えを行うことができるスイッチが設けられていることを特徴とする請求項１〜３のいずれかに記載のカートンシーラー。
【考案の詳細な説明】
【技術分野】
【０００１】
本考案は、カートンの到着に応じてオンデマンドでフラップの折り込み及びフラップの粘着テープによる接合の動作を行うことができる、省エネ運転が可能なカートンシーラーに関する。
【背景技術】
【０００２】
従来から、ダンボール製カートンのフラップを折り込み、次いで二つのフラップの外縁を互いに接した状態でフラップ同士を粘着テープで貼着することによって接合する作業を自動的に行うカートンシーラーが知られている。
【０００３】
このようなカートンシーラーは一般に、多種類の大きさの異なるカートンに対応したり、粘着テープの貼着方法に工夫したものが数多く提案されているが（特許文献１〜４参照）、省エネ運転を考慮したものは今まで提案されていない。
【０００４】
カートンシーラーを使用する現場では、カートンの仕様や中味が変更される場合にはカートンが連続的に供給されないことが多い。このような場合にカートンシーラーを連続的に稼動させていると、電気代や消耗品の浪費をもたらすだけでなく、作業場の温度を高めてしまうので好ましくない。従って、カートンがカートンシーラーに到着したときにのみオンデマンドで運転ができる、省エネ性に優れたカートンシーラーが望まれている。
【先行技術文献】
【特許文献】
【０００５】
【特許文献１】特開平６−３２３２８号公報
【特許文献２】特開平１１−３２１８１７号公報
【特許文献３】特開２００５−４７５７８号公報
【特許文献４】特開２０１０−１８３６６号公報
【考案の概要】
【考案が解決しようとする課題】
【０００６】
本考案は、かかる従来技術の現状に鑑み創案されたものであり、その目的は、カートンの到着に応じてオンデマンドでフラップの折り込み及びフラップの粘着テープによる接合の動作を行うことができる、省エネ性に優れたカートンシーラーを提供することにある。
【課題を解決するための手段】
【０００７】
本考案者は、かかる目的を達成するために鋭意検討した結果、到着したカートンの自重により電源がオンになるリミットスイッチを設けてオンデマンドでカートンシーラーを稼動させることにより、上記目的を達成できることを見出し、本考案の完成に至った。
【０００８】
即ち、本考案は、以下の（１）〜（４）の構成を有するものである。
（１）搬送手段により搬出されてきたカートンのフラップを折り込み、フラップ同士を粘着テープで接合するカートンシーラーであって、カートンがカートンシーラーに到着したときにカートンの自重により電源がオンになるリミットスイッチを設け、リミットスイッチの電源がオフの間はカートンシーラーが稼動しないが、リミットスイッチの電源がオンになると到着したカートンのフラップの折り込み及びフラップの粘着テープによる接合の動作を行うことを特徴とするカートンシーラー。
（２）リミットスイッチがカートンの走行経路の到着端付近の床面に設けられていることを特徴とする（１）に記載のカートンシーラー。
（３）カートンのフラップの折り込み及びフラップの粘着テープによる接合の動作を終了し、カートンを搬出した後に次のカートンが到着していないときにはリミットスイッチの電源がオフになり、カートンシーラーの稼動が停止することを特徴とする（１）又は（２）に記載のカートンシーラー。
（４）リミットスイッチの電源がオンになったときにのみカートンシーラーの稼動を行う省エネ運転モードと、カートンシーラーの稼動を連続的に行う連続運転モードとを有し、それらの運転モードの切り換えを行うことができるスイッチが設けられていることを特徴とする（１）〜（３）のいずれかに記載のカートンシーラー。
【考案の効果】
【０００９】
本考案のカートンシーラーは、カートンの到着時にカートンの自重により電源がオンになるリミットスイッチを設けているので、カートンシーラーのオンデマンド運転が簡単に達成可能である。従って、本考案のカートンシーラーは、従来装置に比べて大幅な電気代の節約、消耗品の低減が可能であり、省エネ性、環境適応性に極めて優れている。
【図面の簡単な説明】
【００１０】
【図１】本考案のカートンシーラーの一例の側面を概略的に示したものである。
【図２】本考案のカートンシーラーに到着したカートンの走行経路の部分の一例を写真で示したものである。
【図３】本考案のカートンシーラーの運転モードの切り換えスイッチを写真で示したものである。
【考案を実施するための形態】
【００１１】
本考案のカートンシーラーは、搬送手段により搬出されてきた段ボール箱などのカートンのフラップを折り込み、フラップ同士を粘着テープで接合するものであり、カートンがカートンシーラーに到着してリミットスイッチの電源がオンになったときに到着したカートンのフラップの折り込み及びフラップの粘着テープによる接合の動作を行うが、リミットスイッチの電源がオフの間はカートンシーラーは稼動せず、上記の動作を行わないように制御されるものである。
【００１２】
本考案のカートンシーラーは、カートンの到着時にリミットスイッチによってオンデマンドで運転ができる省エネ運転モードを持つことを除いて、基本的には従来のカートンシーラーの構成を採用することができるものである。本考案のカートンシーラーの構成の一例を図面に基づいて説明する。
【００１３】
図１は、本考案のカートンシーラーの一例の側面を概略的に示し、図２は、本考案のカートンシーラーに到着したカートンの走行経路の部分の一例を写真で示したものである。本考案のカートンシーラーには、コンベヤやシュートなどのカートンを搬送するための手段（図示せず）が側方に連結されており、カートンは、この搬送手段により図１，２に示すように矢印の方向からカートンシーラー内に搬出され、フラップの折り込み及び粘着テープによる接合の動作後は矢印の方向に搬出されるようになっている。
【００１４】
カートンが到着したカートンシーラーの到着端付近の床面には、図２で丸く囲んで示されたリミットスイッチが設けられている。リミットスイッチは、カートンがカートンシーラーに到着するとカートンの自重により押されてカートンシーラーの稼動のための電源が入るようになっており、リミットスイッチの電源がオンになると、カートンシーラーは、到着したカートンのフラップの折り込み及びフラップの粘着テープによる接合の動作を順番に行うようになっている。カートンシーラーに使用するリミットスイッチ自体は、従来公知のものであり、市販品を本考案の目的に合うように使用すれば十分である。
【００１５】
カートンのフラップの折り込み及びフラップの粘着テープによる接合の動作は、従来公知の装置及び方法に従って行うことができる。例えば、その一例を挙げると、次の通りである。カートンは、カートンシーラーの端部に到着すると、両側部のストッパに当接して停止し、サイドベルトによって走行経路に従って折り込みを行うための位置まで移動される。この位置でカートンが静止させると、上部ヘッド及びフラップ折り込みガイドが下降し、まず前側の内部フラップが折り込まれ、次いでアームが回転して後側の内部フラップが折り込まれる。これらの折り込み動作が終わると、カートンを静止させるためのストッパが引っ込み、サイドベルトが作動してカートンを粘着テープによる接合を行うための位置まで移動させる。この位置では、フラップ折り込みガイドにより対向する外部フラップが折り込まれるとともにテーピングヘッドにより粘着テープで対向する外部フラップの端部同士が接合される。そして、上部ヘッドが上昇し、カートンがカートンシーラーから搬出される。
【００１６】
リミットスイッチは、上記のカートンのフラップの折り込み及びフラップの粘着テープによる接合の動作を終了し、カートンを搬出した後は、次のカートンが到着しないときはすぐに又は一定時間経過後に電源がオフになるように設定されている。これにより、カートンがカートンシーラーに全く来ない場合や、カートンのフラップの折り込み及び接合動作の終了後に次のカートンが到着していない場合に、カートンシーラーの稼動を完全に停止させ、電力消費を抑制することができる。
【００１７】
本考案のカートンシーラーは、図３で丸く囲んで示された運転モード切り換えスイッチにより、上述のようなリミットスイッチの電源のオンになったときにのみオンデマンドでカートンシーラーの稼動を行う省エネ運転モードと、カートンシーラーの稼動を連続的に行う連続運転モードを手動で切り換えることができる。これにより、単一種類の多量のカートンを処理する場合（連続運転モード）と、多種類又は少量のカートンを処理する場合（省エネ運転モード）の間で、好適な運転モードを簡単に切り換えることができる。
【００１８】
本考案のカートンシーラーの一例を上で具体的に説明したが、リミットスイッチは、カートンがカートンシーラーに到着するとカートンの自重により電源がオンになる限り、従来公知の様々な態様のものを限定されずに使用することができる。また、カートンのカートンシーラー内での送り機構や静止機構、さらにカートンのフラップの折り込み及び接合のための機構は、本考案の目的を損なわない限り、従来公知の機構を適宜採用することができる。
【産業上の利用可能性】
【００１９】
本考案のカートンシーラーは、カートンの到着時にのみオンデマンドでカートンのフラップの折り込みや接合の動作を行うことができるように制御されているので、電気代や消耗品の浪費が少なく、省エネ性に極めて優れている。また、カートンシーラーの稼動による作業場の過度な温度上昇を防止することができ、環境面でも極めて優れている。従って、カートンシーラーの省エネ性、環境性を求める業界では待望の機械である。
【図１】
0003166200.tif 000003
【図２】
0003166200.tif 000004
【図３】
0003166200.tif 000005